(57)【要約】【課題】氷柱の形成を抑制できる照明器具を提供すること。【解決手段】内部に発光素子の一例であるＬＥＤ５１を備えた器具本体１０を有し、前記器具本体１０の上方位置には、複数の開口６１Ａが形成され、かつ雪が堆積する開口部材６１が設けられ、前記器具本体１０の上面１０Ｃには、前記開口部材６１の下側に排水路たる溝部６３が設けられている照明器具１を構成した。【選択図】図４
2017098112.tif 000002
【特許請求の範囲】
【請求項１】
内部に発光素子を備えた器具本体を有し、
複数の開口が形成され、かつ雪が堆積する開口部材が前記器具本体の上方に設けられ、
前記器具本体の上面には、前記開口部材の下側に排水路が設けられている
ことを特徴とする照明器具。
【請求項２】
前記開口部材の開口率は少なくとも５％以上である、ことを特徴とする請求項１記載の照明器具。
【請求項３】
前記開口部材はパンチングメタルである、ことを特徴とする請求項１または２に記載の照明器具。
【請求項４】
前記開口部材がメッシュ部材である、ことを特徴とする請求項１または２に記載の照明器具。
【請求項５】
前記器具本体は、前記排水路の排水口から排出された水が垂れ落ちる垂れ落ち部を加温する加温手段を備える
ことを特徴とする請求項１〜４のいずれかに記載の照明器具。
【請求項６】
器具本体と、
前記器具本体の上面に立設された複数の放熱フィンと、を備え、
複数の前記放熱フィンは、先端の側で雪が堆積し、当該雪の雪どけ水を各々の放熱フィンの間の空間を流して排出させる
ことを特徴とする照明器具。
【発明の詳細な説明】
【技術分野】
【０００１】
本発明は、屋外で用いられる照明器具に関する。
【背景技術】
【０００２】
道路の路肩等に立設した支柱や、建物の外壁面に支持されて用いられる屋外用の照明器具においては、水垂れ部分に氷柱が発生することがある。そこで、従来、氷柱の形成を抑制する各種の技術が提案されている（例えば、特許文献１−３参照）。
【先行技術文献】
【特許文献】
【０００３】
【特許文献１】特開２０１１−２４９０１１号公報
【特許文献２】特開２００２−１５０８０７号公報
【特許文献３】特開２００２−１５０８０８号公報
【発明の概要】
【発明が解決しようとする課題】
【０００４】
ところで、発明者らは、例えば特許文献２、及び３に記載されたリング状部材のような雪を保持する雪保持部材を器具本体の外周に設けた構成において次の知見を見いだした。
すなわち、雪保持部材に保持された雪が昼間に溶融し、雪保持部材の内側に溜まり、溜まった水が夜間に凍結することで、雪保持部材の内側が氷の層で埋まることがある。この場合、氷の層の上に積もった雪の雪どけ水は、雪保持部材から溢れ出し、溢れ出した箇所に１メートルに及び長さの氷柱が形成されることがある。
【０００５】
そこで本発明は、より確実に氷柱の形成を抑制できる照明器具を提供することを目的とする。
【課題を解決するための手段】
【０００６】
本発明は、内部に発光素子を備えた器具本体を有し、複数の開口が形成され、かつ雪が堆積する開口部材が前記器具本体の上方に設けられ、前記器具本体の上面には、前記開口部材の下側に排水路が設けられていることを特徴とする照明器具である。
【０００７】
本発明は、上記照明器具において、前記開口部材の開口率は少なくとも５％以上である、ことを特徴とする。
【０００８】
本発明は、上記照明器具において、前記開口部材はパンチングメタルである、ことを特徴とする。
【０００９】
本発明は、上記照明器具において、前記開口部材がメッシュ部材である、ことを特徴とする。
【００１０】
本発明は、上記照明器具において、前記器具本体は、前記排水路の排水口から排出された水が垂れ落ちる垂れ落ち部を加温する加温手段を備えることを特徴とする。
【００１１】
本発明は、器具本体と、前記器具本体の上面に立設された複数の放熱フィンと、を備え、複数の前記放熱フィンは、先端の側で雪が堆積し、当該雪の雪どけ水を各々の放熱フィンの間の空間を流して排出させることを特徴とする照明器具である。
【発明の効果】
【００１２】
本発明では、開口部材に堆積した雪の雪どけ水は、開口から器具本体の上面に滴下し、器具本体の上面の排水路から排出される。この排出作用により、開口部材の下側においては、雪どけ水の滞留がなく、滞留した雪どけ水の凍結による氷の層の形成が抑制される。したがって、氷の層の形成によって雪どけ水が溢れ出すことも無く、雪どけ水の溢れ出しによる氷柱の形成も防止される。
【図面の簡単な説明】
【００１３】
【図１】本発明の実施形態に係る照明器具の斜視図であり、（Ａ）は照明器具を下方からみた斜視図、（Ｂ）は上方からみた斜視図である。
【図２】照明器具の３面図であり、（Ａ）は平面図、（Ｂ）は側面図、（Ｃ）は背面図である。
【図３】図２（Ｂ）のＡ−Ａ断面図である。
【図４】排水作用の説明図である。
【図５】本発明の変形例に係る照明器具の背面図である。
【図６】本発明の他の変形例に係る照明器具を示す背面の側からみた斜視図である。
【図７】他の変形例に係る照明器具の３面図であり、（Ａ）は平面図、（Ｂ）は側面図、（Ｃ）は背面図である。
【発明を実施するための形態】
【００１４】
以下、図面を参照して本発明の実施形態について説明する。
図１は本実施形態に係る照明器具１の斜視図であり、図１（Ａ）は照明器具１を下方からみた斜視図、図１（Ｂ）は上方からみた斜視図である。また図２は照明器具１の３面図であり、図２（Ａ）は平面図、図２（Ｂ）は側面図、図２（Ｃ）は背面図である。
この照明器具１は、屋外の照明に用いられる器具であり、図１（Ａ）、及び図１（Ｂ）に示すように、器具本体１０と、積雪保持ユニット６０と、を備え、器具本体１０が支柱５の先端部３に支持されて設置される。支柱５は、道路脇、街路脇、駐車場、公園などの屋外に立設されたポール型の柱である。なお、支柱５に代えて、構造物の壁面から延びるアーム状の部材に器具本体１０を支持させてもよい。
【００１５】
器具本体１０は、図２（Ａ）に示すように、平面視において、一方向に延びた略矩形状を成す。図１（Ａ）に示すように、器具本体１０の底面には、一端の側（以下、前端１１Ａの側と称する）に照射開口１２が設けられ、他端の側（以下、後端１１Ｂの側と称する）に支柱用挿入孔１６が設けられる。支柱用挿入孔１６は、上記支柱５の先端を挿入する孔部である。器具本体１０は、クランプ機構（図示せず）を内蔵し、支柱５の先端がクランプ機構に保持される。照射開口１２は、照明光を通す開口であり、器具本体１０の一端の側から支柱用挿入孔１６の近くまで延びる矩形状を成す。この照射開口１２には、透明カバー１３が嵌め込み固定され、当該透明カバー１３によって閉塞される。この透明カバー１３は、平板状の部材であり、例えば透明なガラスや樹脂で形成される。
器具本体１０が道路脇に設置されるときには、器具本体１０の前端１１Ａが道路側（車道側）に向けて設置される。
【００１６】
図３は図２（Ｂ）のＡ−Ａ断面図である。
器具本体１０は、前掲図１（Ａ）、図２（Ｂ）、及び図３に示すように、筐体の構成部材であるケース体２０、及び下カバー体２１を備え、内部には、複数の光源ユニット５０（図３参照）、及び電源ユニット８５が収められる。光源ユニット５０は、発光素子を光源とするユニットであり、詳細は後述する。電源ユニット８５は、外部から供給される商用電力を、光源ユニット５０の規格に合せて電力変換する機器である。
【００１７】
ケース体２０、及び下カバー体２１は、屋外使用に十分に耐え得る耐食性、及び強度を有し、かつ、高い熱伝導性を有する材料から成る鋳造物（いわゆるダイキャスト製）である。この材料には、例えばアルミニウムやアルミニウム合金等が用いられる。
【００１８】
ケース体２０は、上下方向の厚みが薄く、底面の側が開放した箱形であり、図１（Ａ）、器具本体１０の上面１０Ｃ、前後左右の外側面１０Ｄ、１０Ｅ、１０Ｆ、１０Ｇを構成する。下カバー体２１は、ケース体２０の底面の側に取り付けられ、器具本体１０の下面１０Ａを構成する。
【００１９】
下カバー体２１は、図３に示すように、ケース体２０の側壁２０Ａに水密に組み付けられ、このケース体２０の底面の側の開放部を覆う部材である。下カバー体２１には、図１（Ａ）に示すように、上述した照射開口１２、及び支柱用挿入孔１６が形成される。下カバー体２１は、図１（Ａ）、及び図２（Ｂ）に示すように、支柱用挿入孔１６の形成部２２が照射開口１２よりも下方に膨出し、この形成部２２の内部に、支柱５の先端部を保持するクランプ機構が収められる。さらに、照射開口１２の縁部には、シール部材の一例であるパッキン１２Ａが全周に亘って嵌め込まれ、このパッキン１２Ａによって、透明カバー１３が水密に嵌め込まれる。ケース体２０、下カバー体２１、及び透明カバー１３の各々が水密に組み付けられることで、器具本体１０が防水に構成される。
【００２０】
ケース体２０の上面１０Ｃにおいて、図３に示すように、左右両側の縁部１１Ｃ１は、縁端部１１Ｃ３が下方に落ち込むように緩やかに湾曲した曲面形状を成している。また縁部１１Ｃ１の内側は略フラットなフラット面１１Ｃ２に形成され、このフラット面１１Ｃ２には電源収容部８０が一体に設けられている。電源収容部８０の内部には電源ユニット８５が収められる。なお、この電源ユニット８５は、器具本体１０の電源収容部８０に配置される代わりに、支柱５の中に配置されてもよい。
【００２１】
電源収容部８０は、図２（Ｃ）に示すように、背面視、及び断面視においては、左右方向の幅が頂部８１にかけて徐々に狭まった凸形状を成している。加えて、この電源収容部８０の上面８０Ａは、図３に示すように、断面視において上方に膨出した曲面形状を成している。これら電源収容部８０の背面視、及び断面視形状、及び上面８０Ａの形状により、電源収容部８０に降った雨水や雪どけ水は、上面８０Ａの曲面形状、及び緩やかに傾斜する側面８０Ｂを伝って電源収容部８０の左右に流れ落ち、上面１０Ｃに導かれる。
なお、電源収容部８０は、側面視において、図２（Ｂ）に示すように、ケース体２０の上面１０Ｃ（フラット面１１Ｃ２）の前後の略中程から後端１１Ｂにかけて徐々に高さを増して膨出した、いわゆる流線型の形状を成している。
【００２２】
この器具本体１０は、ケース体２０の電源収容部８０の直下に、下カバー体２１の形成部２２が配置され、形成部２２の支柱用挿入孔１６から挿入された支柱５の先端部３が、電源収容部８０に収容された電源ユニット８５の直下近傍に配置される。したがって、器具本体１０の設置作業時において、作業者は、支柱５の内部を通して地中から延びる電源線を、電源収容部８０に収容された電源ユニット８５に容易に接続できる。
【００２３】
光源ユニット５０は、図３に示すように、発光素子の一例であるＬＥＤ５１と、これらのＬＥＤ５１が実装された実装基板５２と、ＬＥＤ５１を覆って配置される光学レンズ（図示せず）と、ＬＥＤ５１、及び光学レンズを包囲する反射鏡（図示せず）とを備える。ＬＥＤ５１には、ＣＯＢ（Chip  On  Board）型ＬＥＤが好適に用いられる。
器具本体１０には、上述のとおり、複数の光源ユニット５０が収められ、それぞれの光源ユニット５０は、ケース体２０の天面２０Ｂに熱的に接続した状態で固定される。具体的には、光源ユニット５０の実装基板５２が天面２０Ｂに密着して設けられ、ＬＥＤ５１の発熱が実装基板５２を通じて天面２０Ｂに伝達される。ケース体２０は、上述の通り、高熱伝導性材料から成る鋳造物なので、天面２０Ｂに伝達したＬＥＤ５１の熱は、ケース体２０の上面１０Ｃに伝わり外部に放熱される。したがって、この放熱によってＬＥＤ５１が所定の動作温度以下に抑えられる。また、ＬＥＤ５１の発熱によって上面１０Ｃが適度に加温されるので、低外気温時には、上面１０Ｃでの凍結が防止される。
このケース体２０の上面１０Ｃには、電源ユニット８５を収めた電源収容部８０が設けられるので、電源ユニット８５の発熱によっても電源収容部８０の表面、及び、その周囲が温められる。
【００２４】
さらに、器具本体１０は、後端１１Ｂを加温する加温手段の一例であるヒータ７０を備える。ヒータ７０は、商用電力、或いは電源ユニット８５から電力が供給されて発熱し、ケース体２０の後端１１Ｂを内側から温め、後端１１Ｂの外側面１０Ｅの下端部１０Ｅ１（図２（Ｂ））の表面温度を所定温度に維持する。この所定温度は、雨水や雪どけ水の凝固点を下回らない温度である。ヒータ７０は、照明器具１が備える制御ユニット（図示せず）によって制御される。この制御ユニットは、マイクロコンピュータを備え、例えば外気温度や、後端１１Ｂの外側面１０Ｅの温度に基づいて、ヒータ７０のオン／オフを制御する。
なお、制御ユニットがヒータ７０の加熱温度を制御してもよい。また、制御ユニットに代えて、温度センサの検出信号に基づき開閉する接点スイッチ、或いは半導体スイッチによってヒータ７０をオン／オフさせてもよい。また照明器具１とは別に設けられ、当該照明器具１の点灯、及び調整を制御する制御機がヒータ７０を制御してもよい。
【００２５】
前掲図１（Ｂ）に戻り、積雪保持ユニット６０は、器具本体１０の上面１０Ｃから上方に離間した位置で雪を堆積するユニットであり、開口部材６１と、外枠６２とを備える。
【００２６】
開口部材６１は、上面１０Ｃから上方に離間して配置され、電源収容部８０を除いた器具本体１０の上面１０Ｃの大部分を上方から覆う板状部材であり、開口部材６１の面内には多数の開口６１Ａ（図３）が形成されている。開口部材６１は、耐食性に優れ、高い剛性を有し金属や合金の板材に、表裏に貫通した多数の開口６１Ａを形成するパンチング加工が施されて成り、いわゆるパンチングメタルと称される。
【００２７】
降雪時には、この開口部材６１の上面に雪が堆積する。すなわち、開口６１Ａの最大径は、雪が堆積する可能な径であり、概ね１ｍｍ〜２０ｍｍが好ましい。一方、開口部材６１の開口率は、開口部材６１に堆積した雪の雪どけ水が、開口部材６１の上面に滞留することなく速やかに滴下する値に設定されており、少なくとも５％以上に設定されている。開口部材６１の上面における雪どけ水の滞留を抑えることで、滞留した水が凍結した氷層によって開口６１Ａが塞がれることが防止される。
また、開口部材６１が上面１０Ｃの大部分を離間した位置で覆っていても、多数の開口６１Ａが形成されているので、開口部材６１と上面１０Ｃの間に吹き込んだ風が開口６１Ａを通じて抜け、この開口部材６１に加わる風圧荷重が抑えられる。
【００２８】
外枠６２は、器具本体１０の上面１０Ｃにおいて、前端１１Ａ、及び左右の外側面１０Ｄ、１０Ｆ、１０Ｇから雨水や雪どけ水が垂れ落ちるのを防止する壁材であり、耐食性に優れた金属、或いは合金の材料で形成される。なお、外枠６２、及び開口部材６１には、耐食性などの要求性能が満足される限りにおいて、例えば樹脂材などの金属や合金以外の材料を用いてもよい。
【００２９】
外枠６２は、図２（Ａ）に示すように、器具本体１０の上面１０Ｃの前端１１Ａ、及び左右の両側を囲み、後端１１Ｂの側が開放した平面視コ字状部材であり、前板６２Ａと、側板６２Ｂとを備える。前板６２Ａは、上面１０Ｃの前端１１Ａにおいて左右に延在する板材である。側板６２Ｂは、上面１０Ｃの左右の両側に設けられ、器具本体１０の前後方向の全長に亘って、外側面１０Ｆの上端部１０Ｆ１、及び外側面１０Ｇの上端部１０Ｇ１から上方に延びた状態で設けられる板材である。また、この外枠６２は、開口部材６１を器具本体１０の上面１０Ｃから離間した位置で支持する支持部材を兼ねている。
【００３０】
上面１０Ｃの左右両側の縁部１１Ｃ１は、上述のとおり、縁端部１１Ｃ３がフラット面１１Ｃ２よりも下方に落ち込む緩やかな曲面形状を成している。したがって、図３に示すように、器具本体１０の上面１０Ｃの左右両側のそれぞれには、縁部１１Ｃ１と側板６２Ｂによって器具本体１０の前後方向に延びた溝部６３が形成される。図２（Ｃ）に示すように、それぞれの溝部６３の後端１１Ｂの側の端部は、器具本体１０の外部に開放し、排水口６３Ａになっている。これらの溝部６３は、器具本体１０の上面１０Ｃにおいて、排水路として機能し、後端１１Ｂの開放端から水を器具本体１０の外に排出する。
【００３１】
図４は排水作用の説明図であり、照明器具１を背面側からみた模式図である。
照明器具１に雪Ｓが堆積した場合、その雪Ｓは開口部材６１に堆積する。そして、昼間の日射や電源収容部８０の熱などで雪Ｓが溶け出した場合、雪どけ水は、開口部材６１の開口６１Ａから速やかに器具本体１０の上面１０Ｃに滴下して、堆積している雪Ｓから分離される。したがって、雪どけ水が雪Ｓの中に留まることで温度が低下し凍結することが防止される。
上面１０Ｃに滴下した雪どけ水は排水路たる溝部６３に集められる。
【００３２】
ここで、この照明器具１は、前掲図２（Ｂ）に示すように、前端１１Ａの側を遠方まで照らすために、支柱５への設置時には、器具本体１０が前端１１Ａを後端１１Ｂよりも上方に向けて設置される。したがって、設置状態において、ケース体２０の上面１０Ｃは、後端１１Ｂが前端１１Ａよりも下方に位置するので、溝部６３に集められた雪どけ水は、溝部６３を後端１１Ｂの側に向かって流れ、後端１１Ｂの開放端から排出される。
このとき、器具本体１０の上面１０Ｃは、ＬＥＤ５１、及び電源ユニット８５の熱で温められているので、上面１０Ｃに滴下した雪止め水が凍結することなく溝部６３に集められて後端１１Ｂの排水口６３Ａに向かって流れ、排水口６３Ａから排出される。したがって、雪どけ水が溝部６３の中で凍結することもなく、当該溝部６３からの雪どけ水の溢れ出しも防止される。
【００３３】
排水口６３Ａから排出された雪どけ水は、器具本体１０の背後の外側面１０Ｅを伝って下端部１０Ｅ１から垂れ落ちる。この器具本体１０において、外枠６２が後端１１Ｂの側を除いて上面１０Ｃを囲っているので、雪どけ水が垂れ落ちる垂れ落ち部は、この外側面１０Ｅの下端部１０Ｅ１のみである。そして、この唯一の垂れ落ち部である下端部１０Ｅ１は、上述のとおり、その表面温度が、ヒータ７０によって凝固点温度よりも高い温度に維持されているので、この照明器具１にあっては、氷柱の形成が防止されることとなる。
【００３４】
以上説明したように、本実施形態によれば、開口部材６１に堆積した雪Ｓの雪どけ水は、開口６１Ａから器具本体１０の上面１０Ｃに滴下し、器具本体１０の上面１０Ｃの排水路たる溝部６３を伝って排出される。この排出作用により、開口部材６１の下側においては、雪どけ水の滞留がなく、滞留した雪どけ水の凍結による氷の層の形成が抑制される。したがって、氷の層の形成によって雪どけ水が外枠６２から溢れ出すことも無く、雪どけ水の溢れ出しによる氷柱の形成も防止される。
【００３５】
また本実施形態では、開口部材６１の開口率は少なくとも５％以上としている。
この開口率によって、開口部材６１の上面での雪どけ水の滞留が抑えられ、開口部材６１に滞留した水が凍結し、開口６１Ａが塞がれることが防止される。
【００３６】
また本実施形態では、開口部材６１をパンチングメタルとしたので、耐食性、及び剛性に優れた金属、又は合金の板材に一様の多数の開口６１Ａを簡単に形成できる。
【００３７】
また本実施形態では、器具本体１０は、排水路たる溝部６３の排水口６３Ａから排出された雪どけ水が垂れ落ちる外側面１０Ｅの下端部１０Ｅ１を加温するヒータ７０を備える。この下端部１０Ｅ１をヒータ７０が加温するので、雪どけ水の垂れ落ち部での氷柱の形成が防止される。
【００３８】
なお、上述した実施形態は、あくまでも本発明の一態様を例示するものであって、本発明の趣旨を逸脱しない範囲で任意に変形、及び応用が可能である。
【００３９】
例えば、上述した実施形態において、光源ユニット５０が備える発光素子の一例としてＣＯＢ型のＬＥＤ５１を例示したが、ＬＥＤ５１はＣＯＢ型でなくもともよい。また、発光素子は、ＬＥＤ５１ではなく有機ＥＬ素子などの他の素子でもよい。
【００４０】
図５は、本発明の変形例に係る照明器具１００の背面図である。
この図５において、上述した実施形態と同じ部材について、同一の符号を付し、その説明を省略する。
実施形態において、開口部材６１として、パンチングメタルを例示したが、これに限らない。すなわち、図５に示すように、照明器具１００の積雪保持ユニット１６０が、パンチングメルの開口部材６１に代えてメッシュ部材の開口部材１６１を備えてもよい。メッシュ部材は、いわゆる織網であり、金属又は合金の棒線を金網状に織って成る。開口部材１６１をメッシュ部材とすることで、開口率が５％程度の細かな多数の開口１６１Ａを簡単に形成できる。
【００４１】
さらに、この照明器具１００にあっては、ヒータ７０に代えて、器具本体１０の後端１１Ｂの外側面１０Ｅの外表面に、加温手段としてのヒートパイプ１７０が設けられている。このヒートパイプ１７０は、一端（図示せず）が光源ユニット５０に熱的に接続されており、この光源ユニット５０の熱を外側面１０Ｅに輸送している。したがって、ヒートパイプ１７０が輸送する熱によって、雪どけ水が垂れ落ちる外側面１０Ｅの下端部１０Ｅ１が加温されるので、この垂れ落ち部での氷柱の形成が抑制される。
【００４２】
図６は本発明の他の変形例に係る照明器具２００を示す斜視図である。図７は照明器具２００の３面図であり、図７（Ａ）は平面図、図７（Ｂ）は側面図、図７（Ｃ）は背面図である。なお、これらの図において、上述した実施形態で説明した部材と同じものには、同一の符号を付し、その説明を省略する。
【００４３】
この照明器具２００は、器具本体１０の上面１０Ｃの上方で雪を保持する積雪保持ユニット２６０が、実施形態で説明した積雪保持ユニット６０と相違する。すなわち、この積雪保持ユニット２６０は、多数枚の放熱フィン２６１と、外枠２６２とを備える。この外枠２６２は、積雪保持ユニット６０の外枠６２異なり、前板６２Ａに相当する部材を備えておらず、器具本体１０の左右両側に設けられた一対の側板２６２Ｂのみを備える。
【００４４】
放熱フィン２６１は、図７（Ａ）に示すように、器具本体１０の上面１０Ｃに、前端１１Ａから後端１１Ｂに亘って延在する板状体であり、器具本体１０の左右の幅方向に所定のピッチＰ（図７（Ｃ））で平行に並べて設けられている。このピッチＰは、放熱フィン２６１の先端２６１Ａ（図７（Ｃ））の側で雪が堆積し、すなわち上面１０Ｃから上方に離間した位置で雪が堆積するピッチである。
それぞれの放熱フィン２６１の間が実施形態の溝部６３に相当する空間部２６３を形成する。すなわち、放熱フィン２６１の先端２６１Ａの側に堆積した雪の雪どけ水は、それぞれの空間部２６３に滴下し、この空間部２６３を後端１１Ｂに向かって流れ排出されることとなる。
この排出作用により、それぞれの放熱フィン２６１の先端２６１Ａの側の下方において、器具本体１０の上面１０Ｃに雪どけ水の滞留がなく、滞留した雪どけ水の凍結による氷の層の形成が抑制される。したがって、氷の層の形成によって雪どけ水が外枠２６２から溢れ出すことも無く、雪どけ水の溢れ出しによる氷柱の形成も防止される。
【００４５】
なお、本変形例に係る照明器具２００において、器具本体１０の上面１０Ｃには、積雪保持ユニット２６０の放熱フィン２６１とは別に、図７（Ａ）に示すように、放熱フィン２６１よりも高さが低い多数の放熱フィン２９０が設けられている。
【００４６】
また、この照明器具２００において、側板２６２Ｂには、図６において仮想線で示すように、空間部２６３の各々の後端１１Ｂに対応した位置に排水口２６３Ｃが設けられることが望ましい。この場合、各排水口２６３Ｃから水が垂れ落ちる垂れ落ち部をヒータ７０が加温する。
【００４７】
上述した実施形態、及び変形例において、本発明に係る照明器具として道路や街路、公園を照明する灯具について例示したが、本発明は、屋外に設置される任意の照明器具に適用できる。
【符号の説明】
【００４８】
１、１００、２００  照明器具
５  支柱
１０  器具本体
１０Ａ  下面
１０Ｃ  上面
１０Ｄ、１０Ｅ、１０Ｆ、１０Ｇ  外側面
１０Ｅ１  下端部（垂れ落ち部）
１１Ａ  前端
１１Ｂ  後端
１１Ｃ１  縁部
１１Ｃ３  縁端部
１２  照射開口
２０  ケース体
２０Ａ  側壁
２０Ｂ  天面
５０  光源ユニット
５１  ＬＥＤ（発光素子）
５２  実装基板
６０、１６０、２６０  積雪保持ユニット
６１、１６１  開口部材
６１Ａ、１６１Ａ  開口
６２、１６２、２６２  外枠
６２Ｂ、１６２Ｂ、２６２Ｂ  側板
６３  溝部（排水路）
６３Ａ  排水口
７０  ヒータ（加温手段）
１７０  ヒートパイプ（加温手段）
２６１  放熱フィン
２６１Ａ  先端
２６３  空間部
２６３Ｃ  排水口
２９０  放熱フィン
【図１】
2017098112.tif 000003
【図２】
2017098112.tif 000004
【図３】
2017098112.tif 000005
【図４】
2017098112.tif 000006
【図５】
2017098112.tif 000007
【図６】
2017098112.tif 000008
【図７】
2017098112.tif 000009